Podtech/llm-jp-corpus-v4-ja_patent huggingface dataset:
(57)【要約】【課題】    調理用ヘラによるフライパンや鍋等へのキズ付きを減らし、調理器具の寿命を増大させ、かつ低コスト化を図る。【解決手段】    調理用金物ヘラの両先端部にＲ面取りを施す。【選択図】    図１
0003103858.tif 000002
【実用新案登録請求の範囲】
【請求項１】
両先端部にＲ面取りを施した、調理用金物ヘラ。
【考案の詳細な説明】
【技術分野】
【０００１】    本考案は、調理用金物ヘラの両先端部にＲ面取りを施す事により、フライパンや鍋等に付くキズを減らし、調理器具の寿命を増大させる。
【背景技術】
【０００２】    従来のステンレス製等のヘラは、調理物を切ったり、削ぐために、両先端部が角張っている。業務用の鉄板焼きでは使い勝手が良いが、一般家庭ではこの角張りによって、調理器具にキズを付けてしまう。また、キズ付き防止のため、近年ではテフロン製等のヘラも製造されているが、コスト高は避けられない。
【考案の開示】
【考案が解決しようとする課題】
【０００３】    調理用ヘラによるフライパンや鍋等へのキズ付きを減らし、調理器具の寿命を増大させ、かつ低コスト化を図る。
【課題を解決するための手段】
【０００４】    調理用金物ヘラの両先端部にＲ面取りを施す。
【考案の効果】
【０００５】    近年、テフロン製等の特殊加工された高価なフライパンや鍋等が多数を占める中、このヘラにより、低コストでキズ付きを改善し、調理器具の寿命増大が可能となる。
【考案を実施するための最良の形態】
【０００６】    両先端部にＲ面取りを施した、調理用金物ヘラの製造。図面について説明すれば、両先端部にＲ面取りを施した調理用金物ヘラ１である。
【実施例】
【０００７】    本考案の、両先端部にＲ面取りを施した金物ヘラで調理したところ、キズ付きが格段に減少した。Ｒ面取りは、２〜３ｍｍが適当であるが、用途によっては変化させる。また、Ｒ面取りを施す事で、切ったり、削いだりする事にさほど支障はないが、両Ｒ面取りを結ぶ直線の面にはテーパを付けると、尚一層良い。
【図面の簡単な説明】
【０００８】
【図１】    両先端部にＲ面取りを施した、調理用金物ヘラを示した平面図である。
【符号の説明】
【０００９】    １  両先端部にＲ面取りを施した調理用金物ヘラ
【図１】
0003103858.tif 000003
(57)【要約】【課題】  手軽に、ちょっとした時間で、安全に、腕・胸・腹部・背筋の引き締め、筋力トレーニングができ、リハビリにも役に立つ運動具を提供する。【解決手段】  グリップ１の一方の先端に、市販のペットボトルにかぶされているキャップと、同様なメネジ部２と、隔壁３を設け、パッキン４を施し、ペットボトルのオネジと、はまりあわせて結合し、風呂に入りながら、このグリップを握りペットボトルの浮沈を繰り返す。  グリップ１のもう一方の先端には、浴槽に当たっても傷を付けず、水の浸入を防ぐ軟質の保護キャップ５を装着する。  グリップ１は、透明な中空構造にする。  この構造を有した、ペットボトルに結合させて、ペットボトルを、浮力を利用した運動具に変えるためのグリップを作成する。【選択図】  図１
0003103856.tif 000002
【実用新案登録請求の範囲】
【請求項１】
（イ）グリップ１の先端に、市販のペットボトルにかぶされているキャップと、同様なメネジ部２と、隔壁３を設け、パッキン４を施す。（ロ）反対側の先端には、傷つけ防止と、水の浸入を防止するための軟質の保護キャップ５を装着する。（ハ）グリップ１は、中空構造にする。
この構造を有し、ペットボトルに結合させて、ペットボトルを、浮力を利用した運動具に変えるためのグリップ。
【考案の詳細な説明】
【考案の詳細な説明】
【技術分野】
【０００１】  本考案は、ペットボトルに結合させて、ペットボトルを運動具に変えるためのグリップに関するものである。
【考案が解決しようとする課題】
【０００２】  手軽に、ちょっとした時間で、安全に、腕・胸・腹部・背筋の引き締め、筋力トレーニングができ、リハビリにも役に立つ運動具を提供する。
【課題を解決するための手段】
【０００３】  グリップ１の一方の先端に、市販のペットボトルにかぶされているキャップと、同様なメネジ部２と、隔壁３を設け、パッキン４を施し、ペットボトルのオネジと、はまりあわせて結合し、風呂に入りながら、このグリップを握りペットボトルの浮沈を繰り返す。
グリップ１のもう一方の先端には、浴槽に当たっても傷を付けず、水の浸入を防ぐ軟質の保護キャップ５を装着する。
グリップ１は、中空構造にする。
この構造を有した、ペットボトルに結合させて、ペットボトルを、浮力を利用した運動具に変えるためのグリップを作成する。
【考案を実施するための最良の形態】
【０００４】  形成されたメネジ部をペットボトルのオネジに結合させ、風呂に入りながら、ペットボトルに結合されたグリップを握り、腕の上下運動などしてペットボトルの浮沈を繰り返す。
【考案の効果】
【０００５】  本考案は、次に記載する効果を奏する。
【０００６】  ペットボトルは落としても破損することはなく、風呂の中で使用しても安全であり、毎日の入浴時の手軽な運動ということで、あらたまって運動のために時間を割くというわけではないので持続もでき、風呂に浸かって温まりながらリラックス気分で運動ができるので、発汗作用が促進され健康にも美容にも効果的である。
【０００７】  ペットボトルの容器の大小は浮力と比例しており、筋力に応じてペットボトルを選択し、無理なく段階的に運動でき、リハビリにも応用可能であり、腕や手首の角度を変化させることで筋肉の負担が増大し、筋力強化も可能である。
【図面の簡単な説明】
【図１】    グリップの断面図である。
【図２】    グリップの左側面図である。
【図３】    保護キャップの見取図である。
【図４】    グリップをペットボトルに結合する。
【図５】    グリップを結合して実際に使用する。
【図１】
0003103856.tif 000003
【図２】
0003103856.tif 000004
【図３】
0003103856.tif 000005
【図４】
0003103856.tif 000006
【図５】
0003103856.tif 000007
(57)【要約】【課題】  第1期作植付け用の孔を始めから開口させておいて、第1期作植付けに際し植付け用ミシン目未開口孔を開口する手間を解消して農作業の省力化を図る。【解決手段】  二期作農業用有孔マルチフィルムとして使用する合成樹脂フィルムから成る農業用マルチフィルム１であり、第１期作植付け用の開口孔２と第２期作植付け用のミシン目未開口孔３とを所定ピッチＰで交互の繰り返しに行列配置して設けることにより、第1期作植付けに際し、多数の植付け用孔を開口する手間を省く。【選択図】    図１
0003103802.tif 000002
【実用新案登録請求の範囲】
【請求項１】
二期作農業用有孔マルチフィルムとして使用する合成樹脂フィルムから成る農業用マルチフィルム（１）であって、第１期作植付け用の開口孔（２）と第２期作植付け用のミシン目未開口孔（３）とを所定ピッチＰで交互の繰り返しに行列配置して設けてなることを特徴とする農業用マルチフィルム。
【考案の詳細な説明】
【技術分野】
【０００１】
本考案は農業用のマルチフィルムに関し、特に農作物の二期作植付け用として使用する農業用マルチフィルムに関する。
【背景技術】
【０００２】
この種のマルチフィルムとしては、従来から例えば、農作物を植付けるための所要ピッチの穴あけ用ミシン目を有するもの（特許文献１）や、Ｘ状ミシン目の切込みを入れたもの（特許文献２）が知られている。
【特許文献１】実開昭６１−７７７５４号公報
【特許文献２】特開平０８−９７７０号公報
【考案の開示】
【考案が解決しようとする課題】
【０００３】
ところで、農作物の中には例えばレタスのように二期作が可能なものがあり、従来では第1期作植付け用ミシン目未開口孔と第2期作植付け用ミシン目未開口孔とを所定ピッチで交互に配置し、第1期作植付け用ミシン目未開口孔部分を剥がしたり広げたりして開口することにより、その開口部に当該作物を植え付け、第2期作植付け用ミシン目孔部分は雑草防除効果を維持する観点から第2期作植付けの時期まで未開口のままにしていた。
【０００４】
しかしながら、従来のこの使用方法では第1期作植付けに際してミシン目孔部分を剥がすなどして開口することから、その開口に手間取って作業性に問題がある。
本考案はこのような実状に鑑みてなされたもので、第1期作植付け用ミシン目未開口孔を開口する手間を解消して農作業の省力化を図らせることにある。
【課題を解決するための手段】
【０００５】
本考案は、上記課題を解決するために、以下のように構成される。
即ち、請求項1に記載の考案は、二期作農業用有孔マルチフィルムとして使用する合成樹脂フィルムから成る農業用マルチフィルム１であって、第１期作植付け用の開口孔２と第２期作植付け用のミシン目未開口孔３とを所定ピッチＰで交互の繰り返しに行列配置して設けてなることを特徴とする農業用マルチフィルムである。即ち、第1期作植付け用の孔は始めから開口しておき、一方、第２期作植付け用の孔は後から必要に応じて開口するものである。
【考案の効果】
【０００６】
本考案では、所定ピッチＰの植付け用の孔を有する農業用マルチフィルムにおいて、第1期作植付け用の孔は始めから開口しておき、一方、第２期作植付け用の孔は後から必要に応じて開口する未開口孔としておくものであって、第1期作植付け用の孔は始めから開口してあることから、第1期作植付けに際して多数の植付け用孔を開口する手間を省いて農作業効率を高めることができる。
【考案を実施するための最良の形態】
【０００７】
以下に本考案に係る農業用マルチフィルムについて、図面に示す実施形態に基づいて説明する。図１は、本考案の実施の形態に係る農業用マルチフィルムの部分示展開図であり、図２は、同じく農業用マルチフィルムを作物栽培用畝部に展張した状態の縦断面図である。
【０００８】
両図を参照して、本考案に係る農業用マルチフィルム（以下、マルチフィルムと略称する）１は二期作農業用有孔マルチフィルムとして使用するものであって合成樹脂フィルムにより形成されるが、従来多用される黒色ポリエチレンフィルムの他に白色と黒色のリバーシブル、シルバー色の樹脂フィルムや、脂肪族ポリエステル系樹脂などの生分解性樹脂のフィルムが用いられる。なお、生分解性樹脂フィルムにより形成したマルチフィルム１の場合は、作物収穫後そのまま土壌上に放置しても、経年変化により分解されるという利点を有するところから好ましいものである。
【０００９】
上記マルチフィルム１は、植えるべき作物の種類により決まる株間のピッチに対応した行列配置にした植付け用の孔を備えてなる所定幅Ｗの例えば９５０ｍｍで、かつ所定長さＬの例えば５０ｍの長尺シート状フィルムであって、図示例は３列で多行の行列配置になる植付け用孔を備えている。
【００１０】
本考案のマルチフィルム１における上記植付け用孔に関しては、第１期作植付け用の開口孔２と第２期作植付け用のミシン目未開口孔３とが所定ピッチＰで交互の繰り返しに行列配置して設けられてなる点に特徴があり、両孔２，３は、例えば６０〜８０ｍｍ径の円形孔に形成されるが、その他、三角形、四角形、楕円形、小判形、星形などの形状であっても良い。
【００１１】
このように形成してなるマルチフィルム１は、マルチャーと称される農作業機械にて作物栽培用の畝部に機械展張して使用される。その際、図２に断面示される通り、通常は畝及びその両側の畦道部の一部にも一様に展延させるように土壌に直接に覆わせて展張する。そして、第１期作植付け用の各開口孔２を利用して第１期作物用の苗又は種を土壌に植付けて作業が完了する。この第1期作植付け作業に際しては、多数の植付け用孔を開口する手間を省かせて農作業の省力化が図れる。
【００１２】
第１期作物の収穫期になって該作物の取入れが終わると、続いて第２期作植付け用の各ミシン目未開口孔３を手で破断するなどして開口するとともに、第２期作物用の苗又は種を土壌に植付けて第２期作の農作業を行うものである。このようにして、第１期作と第２期作との連作が円滑に行われるものであって、マルチフィルム１を用いることで、雑草を抑え、作物の生育を促進し、又、土壌水分を適度に保つと共に、肥料の流出を防ぐことができる。
【００１３】
なお、上記の実施形態ではマルチフィルム１が３列多行の行列配置になる植付け用孔を備えているものについて例示したが、本考案はこれに限定するものではなく、１列多行あるいは４列以上の行列配置になる植付け用孔を備えているものでも差し支えない。
【図面の簡単な説明】
【００１４】
【図１】本考案の実施の形態に係る農業用マルチフィルムの部分示展開図である。
【図２】図１図示マルチフィルムを作物栽培用畝部に展張した状態の縦断面図である。
【符号の説明】
【００１５】
１…農業用マルチフィルム
２…開口孔
３…ミシン目未開口孔
Ｐ…ピッチ
【図１】
0003103802.tif 000003
【図２】
0003103802.tif 000004
(57)【要約】【課題】  コスト高を抑え、簡易構造であるにもかかわらず十分な遮音機能を有する便器を提供する。【解決手段】  水洗便器本体１と便座２との間、および便座２と蓋３との間に吸音体５を設けた。具体的には、便座２に吸音体５を設け、蓋３の内側に吸音体５を設ける構成とし、騒音を内部に封じ込めるようにした。吸音体５としては、コルク、スポンジ、ゴム、多孔質ゴムまたは発泡体等を用いる。【選択図】      図１
0003103804.tif 000002
【実用新案登録請求の範囲】
【請求項１】
水洗便器本体（１）と便座（２）との間、および便座（２）と蓋（３）との間に吸音体（５）を設けたことを特徴とする遮音機能を備えた水洗便器。
【請求項２】
請求項１記載において、吸音体（５）は、コルク、スポンジ、ゴム、多孔質ゴムまたは発泡体からなることを特徴とする遮音機能を備えた水洗便器。
【考案の詳細な説明】
【技術分野】
【０００１】
この考案はトイレ内に設置される水洗便器に関する。
【背景技術】
【０００２】
トイレは生活必要品であり、公園、各種建物、一般家庭等に、通常、設けられている。
【０００３】
従来の水洗便器は、図２に示すように、便座２’の下部に弾性体からなるストッパーａが突設されているため、便座２’と水洗便器本体１’との間に隙間ｂがある。また、蓋３’の内側にも同様のストッパーａが突設されているため、蓋３’を閉じた場合、蓋３’と便座２’との間に隙間ｂが存在する。
【０００４】
周知のようにトイレを使用した後は水を流すが、水洗便器は水の落差を利用していることと、汚物が排水路に引き込まれる際の吸引作用により水が流れる際の音量は比較的大きく、騒音となり、この騒音は隙間から外部に洩れるため、トイレの近くにいる人に聞こえることになる。
【０００５】
この排水時の騒音は一人だけの時は特に気にならないが、来客の際や、トイレの周囲に人がいると気になるもので、排水音は極力聞こえないことが好ましい。
【考案の開示】
【考案が解決しようとする課題】
【０００６】
騒音を減らす便器としては、図３に示すように、水のサイホン現象を利用したものがあり、排水路ｃをくねらせたり、細くしたりして抵抗を大きくした構造のものがある。なお、図３中ｅは水ｄが入っているタンクである。
【０００７】
この構造のものは、多少排水の際の騒音は改善されるが、構造が複雑になるため、その分コスト高となり、かつ多量の洗浄水が必要となり、経済的でない、という課題があった。
【０００８】
この発明は、上記のことに鑑み提案されたもので、その目的とするところは、コスト高を抑え、簡易構造であるにもかかわらず十分な遮音機能を有する水洗便器を提供することにある。
【課題を解決するための手段】
【０００９】
請求項１の考案は、水洗便器本体１と便座２との間、および便座２と蓋３との間に吸音体５を設けた構成したことに特徴を有する。
請求項２の考案は、請求項１記載において、吸音体５は、コルク、スポンジ、ゴム、多孔質ゴムまたは発泡体からなる構成としている。
【考案の効果】
【００１０】
この考案によれば、蓋３と便座２との間、および便座２と水洗便器本体１との間に吸音体５を設けたため、使用後、蓋３を閉じて水を流せば、水洗便器４内は吸音体５によって遮へいされるため、水の流れる音が周囲に洩れることを防止でき、騒音を極力低減させることができる。
【００１１】
また、本考案は既存の水洗便器に簡単に適用でき、コスト高を押え、かつ既存設備の有効利用を図ることができる。
【考案を実施するための最良の形態】
【００１２】
以下、図面に添って本考案の実施例を説明する。
【００１３】
［実施の形態１］
図１は本考案の水洗便器の側面図を示す。
【００１４】
これらの図中１はトイレ内の床上に周知のようにして設置される水洗便器本体、２は、周知のように基端部側が回動自在に支持された便座、３はその上方に配置され、同じく基端部側が回動自在に支持された蓋であり、これらによって水洗便器４が構成されている。このような水洗便器４の構成は公知である。
【００１５】
この考案では、図１に示すように、便座２の下側にほぼＵ字状に吸音体５を設け、便座２を本体１上に乗せた場合、吸音体５によって便座２と本体１との間に隙間が生じないようにしている。
【００１６】
また、蓋３の内側にほぼ全面に吸音体５を設け、蓋３を閉じた場合、蓋３と便座２との間も吸音体５によって同じく隙間が生じないようにしたことに特徴を有している。吸音体５は接着剤、またはネジ等による固定手段によって取付ければ良い。
【００１７】
この吸音体５としては、例えば表面が防水処理されたコルク、スポンジ、一般的なゴム、エチレンプロピレンジエンモノマー（ＥＰＤＭ）を主成分とする多孔質ゴム、発泡体等を用いると好ましい。多孔質ゴムや発泡体は内部に微細な空気層を有するため、良好な吸音作用が得られる。
【００１８】
使用にあたっては、水洗便器４で用を足した後、水を流す際、蓋３を閉じるだけで騒音を防止ないし低減させることができる。騒音の発生源は、水洗便器４内において水が流れる音であるためで、蓋３を閉じることにより吸音体５によって騒音を内部に封じ込めることができる。また、吸音体５の吸音作用によっても騒音を吸収し得る。
【００１９】
本考案は従来から一般的に使用される水洗便器に簡単に適用でき、既存設備の有効活用を図ることができる。なお、吸音体５が付設された水洗便器を製品化し、市販しても良いことは勿論である。
【００２０】
また、サイフォン現象を利用したタイプや、その他の各種タイプの水洗便器にも適用できる。
【図面の簡単な説明】
【００２１】
【図１】本考案の一実施例の使用状態の側面図。
【図２】従来の水洗便器の側面図。
【図３】他の従来例の内部構造を示す斜視図。
【符号の説明】
【００２２】
１  水洗便器本体
２  便座
３  蓋
４  水洗便器
５  吸音体
【図１】
0003103804.tif 000003
【図２】
0003103804.tif 000004
【図３】
0003103804.tif 000005
(57)【要約】【課題】免振筋かいや火打ちの強度向上【解決手段】フランジを溶接したパイプ基部に、ネジ溝を刻設した他方のパイプ基部を嵌入する。両パイプ間にスプリングを介設し締付調整ナットで圧縮する。パイプ先端を押し潰し透孔を設ける。透孔を有する筋かいプレートを梁に固定し、パイプ先端をボルトによりビン結合する。ダブルナットの締付調整ナットにてスプリングを圧縮する。【選択図】    図１
0003103813.tif 000002
【実用新案登録請求の範囲】
【請求項１】
軸組構造の梁等に採用される衝撃吸収筋かいにおいて、予め取り付けられた筋かいプレートに先端がピン結合される二本のパイプと、嵌合された両パイプ基部を衝撃吸収体を介して一体化してなる、免振筋かい。
【請求項２】
スプリング3を衝撃吸収体として採用し、一方のパイプ基部に設けたフランジと、他方のパイプ基部に設けた締付調整ナット６との間にこのスプリングを介設してなる、請求項１記載の免振筋かい。
【請求項３】
両パイプ先端を潰して折曲し、その基部を嵌合しスプリングを介して一体化してなる、免振火打ち。
【請求項４】
先端折曲部にビス止め用透孔を穿ち、パイプ基部にスプリングを圧縮する締付調整ナットを設けてなる、請求項３記載の免振火打ち。
【考案の詳細な説明】
【技術分野】
【０００１】
本考案は主に木造住宅（軸組構造）の免振部材として使用する免振筋かいと免振火打ちに関する。
【背景技術】
【０００２】
耐力壁の変形を図４に示す。筋かいには圧縮力が加わる。逆方向の水平力では引張力が加わる。図３には木造軸組構造の筋かいと火打ち材が示されている。耐震強度を高めるに際しては軸組構造全体の釣り合いが大事である。局部補強はコストパフォーマンスを低下する。
【考案の開示】
【考案が解決しようとする課題】
【０００３】
筋かい端部などの緊結方式については、接合金物をはじめ、ボルト締め、かすがい打ち、込み栓打ちがもちいられているが、どのような部位にどのような緊結方法を用いる必要があるかについての明確な規定は、従来建築基準法になかった。阪神大地震時に、筋かい端部をつきつけ釘を斜め打ちした簡単な緊結の家屋は被害甚大であった。筋かい端部に適切な緊結手段を採用した耐力壁が再評価される。また、壁が強固につくっても、土台との緊結がなされてない場合、柱の引き抜き力などにより、抵抗力が発揮できない。平成１２年建築基準法施行令４７条で接合金具（以下筋かいプレートと称する）の使用等が義務つけられる。
図４は耐力壁に水平力が加わった時の変形を示す。左右に強い水平力が交互に加わった時、筋かいは、圧縮と引っ張り応力を交互にうけて、破断（座屈）あるいは筋かいプレートから外れやすい。
【課題を解決するための手段】
【０００４】
予め取り付けられた筋かいプレートに先端がピン結合される二本のパイプと、嵌合された両パイプ基部をスプリングを介して一体化してなる、免振筋かい。一方のパイプ基部にネジ溝を刻設し、締付調整ナットにてスプリング圧縮力を調整する。スプリングとこのナット調整により筋かい長さを適宜調節する。
【考案の効果】
【０００５】
筋かいに加わる、引張力と圧縮力を、スプリングにて吸収・逸散し復元力を発生でき、耐力壁の強度を向上できる。予め、異なる径や長さのパイプを準備することで全ての筋かい需要に答えることができ、現場で締付調整ナットにより調節と相まって従来の木製筋かいに較べてその実用性極めて大なるものである。
【考案を実施するための最良の形態】
【０００６】
フランジ４を溶接したパイプ１の基部に、ネジ溝７を刻設したパイプ２の基部を嵌入し、スプリング３と締付調整ナット６そしてフランジ５とで両パイプを一体化する（図１）。梁１０の交差部に透孔を有する筋かいプレート９をビス等で固定する（図２）。パイプ１の先端を潰して透孔を設け、ボルト８を両透孔内に挿入し、この筋かいプレート９にパイプ１をピン結合する。他方のパイプ２先端も同じようにして対向する筋かいプレートにピン結合する。図４のように耐力壁に取り付けられた筋かいは、締付調整ナット６にて調節される。耐力壁の寸法に対応でできるように寸法や特性の異なる複数のパイプ、スプリングを準備するのが理想であるが、本考案者の実務経験から僅かの種類で済むことになった。
【０００７】
現場取り付けにおいて、まず両パイプ先端部をボルト８にて筋かいプレート９に取り付ける。次にダブルナットの締付調整ナット６によりスプリング３の圧縮力を調節する。パイプ１内に嵌入しているパイプ２の嵌入量はこのナット締めではほとんど変化しない。無理なく筋かいを取り付けることができ、経験浅い作業者でも確実に作業を全うできのが本考案の特徴である。図４のように耐力壁に水平力が働くと、筋かいは圧縮力を受け、スプリング３は圧縮してその地震エネルギーを吸収し、同時に復元力を発揮して免振効果を発揮する。パイプ先端が筋かいプレート９に対してピン結合されているため、パイプには曲げモーメントは加わらない。引張・圧縮応力だけである。それゆえ筋かいプレート９の変形は阻止される。阪神地震の経験がここで生かされたことになる。
【０００８】
火打ちの場合も上記筋かいとほぼ同じ構造である。図３のごとく火打ちは梁のコーナー部に掛け渡される。通常は筋かいプレートは使用せず、押し潰したパイプ先端を折曲して透孔を穿ち、ビスや釘止めする。作用は筋かいと同じである。
【０００９】
パイプ材質、スプリング強度、パイプ径などは適宜その用途に応じて選定される。スプリングの代わりに周知の油圧装置（車等に使用されるショックアブソーバ）やゴムが採用される。パイプの代わりにロッドを用いても良い。両ロッド基部にスリーブが必要となる。
【図面の簡単な説明】
【００１０】
【図１】要部の拡大図である。
【図２】筋かいプレートに取り付けられた筋かいの取り付け状態を示す拡大図である。
【図３】軸組構造の説明図である。
【図４】耐力壁に水平力が加わった時の変形を示す説明図である。
【符号の説明】
【００１１】
１    パイプ
２    パイプ
３    スプリング
４   フランジ
５   フランジ
６    締付調整ナット
７    ネジ溝
８    ボルト
９    筋かいプレート
１０  梁
【図１】
0003103813.tif 000003
【図２】
0003103813.tif 000004
【図３】
0003103813.tif 000005
【図４】
0003103813.tif 000006
(57)【要約】【課題】  太鼓部の透かし織組織が、独自に意匠性を発揮する，新規な名古屋帯を提供する。【解決手段】  名古屋帯を、太鼓部１の地組織Ａと胴部３の地組織Ｂが異なり、太鼓部１の地組織Ａは、緯糸密度が、胴部３の地組織Ｂの緯糸密度の３０〜７０％である透かし織組織からなり、太鼓部１には透視性のない織柄Ｃが飛び柄で設けられているものとし、更に、着用時に裏太鼓となる裏太鼓部２を、太鼓部１の地組織Ａと実質的に同様の透かし織組織Ａ’からなるものとした。【選択図】図１
0003103818.tif 000002
【実用新案登録請求の範囲】
【請求項１】
太鼓部の地組織Ａと胴部の地組織Ｂが異なるものであって、太鼓部の地組織Ａは、緯糸密度が、胴部の地組織Ｂの緯糸密度の３０〜７０％である透かし織組織からなり、太鼓部には透視性のない織柄Ｃが飛び柄で設けられていること、及び着用時に裏太鼓となる部分が、太鼓部の地組織Ａと実質的に同様の透かし織組織Ａ’からなることを特徴とする名古屋帯。
【請求項２】
透かし織組織Ａ’からなる裏太鼓部分の長さが、太鼓部の長さより１０〜３０％長い請求項１の名古屋帯。
【請求項３】
太鼓部の地組織Ａがよろけ織組織である請求項１又は２の名古屋帯。
【請求項４】
胴部の地組織Ｂが透かし織組織からなる請求項１〜３いずれか１項の名古屋帯。
【考案の詳細な説明】
【技術分野】
【０００１】
本考案は、太鼓部の地組織が透かし織組織からなる名古屋帯に関する。
【背景技術】
【０００２】
太鼓部を透かし織組織で構成した名古屋帯で、その下に位置する裏太鼓部に設けた織柄や刺繍柄を透かして見えるようにする試みはあるが（特許文献１，２参照）、このような帯では、それなりの意匠効果はあるが、透かし織組織本来の意匠効果を発揮するものではなく、太鼓部そのものに透視性はなく、軽やかさや爽やかさに欠けるものであった。
【特許文献１】実用新案登録第２５９０５９０号公報
【特許文献２】特開平１０−１２１３１３号公報
【考案の開示】
【考案が解決しようとする課題】
【０００３】
本考案は、太鼓部の透かし織組織が、独自に意匠性を発揮する新規な名古屋帯を提供することを課題とする。
【課題を解決するための手段】
【０００４】
本考案では、名古屋帯を、太鼓部の地組織Ａと胴部の地組織Ｂが異なるもので、太鼓部の地組織Ａは、緯糸密度が、胴部の地組織Ｂの緯糸密度の３０〜７０％である透かし織組織からなり、太鼓部には透視性のない織柄Ｃが飛び柄で設けられていること、及び着用時に裏太鼓となる部分が、太鼓部の地組織Ａと実質的に同様の透かし織組織Ａ’からなることを特徴とするものとすることによって、上記課題を解決した。
【０００５】
透かし織組織Ａ’からなる裏太鼓部の長さは、太鼓部の長さより１０〜３０％長く形成し、太鼓部の裏面全体を透かし織組織Ａ’からなる裏太鼓部を覆うようにすることにより、着用時、太鼓部は、裏太鼓の存在を実質的に感知させることなく、織柄Ｃと透かし織組織からなる地組織Ａからなる軽やかで、爽やかな外観を有するものであり、しかも実際は太鼓部の地組織Ａと実質的に同様の透かし織組織Ａ’からなる裏太鼓の存在によって、しっかりした太鼓が形成され、上品で、涼しげな太鼓結びが可能となる。
【０００６】
太鼓部の地組織Ａと裏太鼓となる部分の織組織Ａ’は、絽、羅、紗などのいずれでもよいが、例えばよろけ組織とすることにより、胴部の地組織Ｂとの区別も著しい、装飾性に富んだ帯となる。
【０００７】
胴部の地組織Ｂは、前述の如く、太鼓部の地組織Ａより織密度の高いものであればよく、その織組織は平織り、綾織り、繻子織などのいずれでもよいが、夏帯としては、太鼓部より、密度の高い透かし織組織とするのがよい。
【考案を実施するための最良の形態】
【０００８】
本考案の一例を図面に示す。
この例では、図１〜３に示すように、約３２ｃｍ長さの太鼓部１から約１０２ｃｍ離れた位置に、裏太鼓部２が約３８ｃｍの長さで存在するものであり、太鼓部１の地組織Ａは、緯糸密度が８本／３ｃｍの「よろけ織」とし、その中に、テープ状の糸で、透視性のない織柄Ｃが形成されている。なお、裏太鼓部２の織組織Ａ’も、太鼓部１の地組織Ａと実質的に同一の緯糸密度の「よろけ織」となっている。
これに対して、胴部３の地組織Ｂは、緯糸密度が１５本／３ｃｍの三本絽となっている(図２、図３参照−ただし、経糸は図面から省略している）。
【０００９】
この帯は、太鼓部１の裏面に裏太鼓部２が重なるようにして着用するものであるが、太鼓部１は、透かし織組織である「よろけ織」からなる地組織Ａに、テープ状の糸からなる透視性のない織柄Ｃが飛び柄に設けられているため、織柄Ｃが浮き立ってみえるものであり、しかも、その裏面に位置する裏太鼓部２の織組織Ａ’は表に位置する太鼓部１の地組織Ａと実質的に同一の「よろけ織」からなるため、太鼓部１の意匠は裏太鼓部２の存在を感知させることなく、非常に涼しげに上品な外観を呈するものとなっている。
【００１０】
なお、このような太鼓部１の両側に位置する胴部３の地組織Ｂは、太鼓部１の地組織より密な組織であるため、太鼓部１の透かし織組織が、際だって意匠性を発揮するものであり、そのため、この帯は、従来になく、爽やかな外観で着用し易いものとなる。
【００１１】
この例では、太鼓部１の透視性ある地組織Ａ内に設けられる透視性のない織柄Ｃは、線状となっているが、丸や四角、菱形、あるいは花や鳥などの具体的な柄であってもよく、周囲に透視性ある地組織Ａが存在するようにして、柄が浮き立って見えるようにすればよい。
【図面の簡単な説明】
【００１２】
【図１】図１は本考案の一例を示す概略図である。
【図２】図２は本考案の一例の太鼓部の説明図である。
【図３】図３は本考案の一例の裏太鼓部の説明図である。
【符号の説明】
【００１３】
１  太鼓部
２  裏太鼓部
３  胴部
【図１】
0003103818.tif 000003
【図２】
0003103818.tif 000004
【図３】
0003103818.tif 000005
(57)【要約】      （修正有）【課題】構造が簡単であり、かつ人体に対する快適性を備えた竹枕の提供。【解決手段】この考案の竹枕は、間隔を置いて配設した板状の二枚の骨材１の縁部２に、間隔を置いて複数本の割竹片３を差し渡し、割竹片３を、縁部２に固定し、骨材１と割竹片３とで形成する空間部Ａに、粉砕した竹炭又は木炭ａを収納した通気性を備えた不織布袋４を装着している。したがって、粉砕した竹炭又は木炭を収納しているので、脱臭、調湿効果があり、人体へ心地よさをもたらすとともに、割竹片は弾性を備えているので、首部に対する指圧効果が期待できる。【選択図】図２
0003103812.tif 000002
【実用新案登録請求の範囲】
【請求項１】
間隔を置いて配設した板状の二枚の骨材（１）の縁部（２）に、間隔を置いて複数本の割竹片（３）を差し渡し、該割竹片（３）を、前記縁部（２）に固定し、前記骨材（１）と前記割竹片（３）とで形成する空間部（Ａ）に、粉砕した竹炭又は木炭（ａ）を収納した通気性を備えた不織布袋（４）を装着してなることを特徴とする竹枕
【考案の詳細な説明】
【技術分野】
【０００１】
この考案は竹枕に関するものである。
【背景技術】
【０００２】
従来、知られている竹枕は構造が複雑であり、コスト高になるという問題点があった。また、人体に対する快適性の点においても、問題点があった。
【特許文献１】実用新案登録第３０７６７号公報
【考案の開示】
【考案が解決しようとする課題】
【０００３】
この考案は、背景技術で記述した問題点を解消するためになされたもので、構造が簡単であり、かつ人体に対する快適性を備えた竹枕の提供を目的とするものである。
【課題を解決するための手段】
【０００４】
この考案の竹枕は、間隔を置いて配設した板状の二枚の骨材の縁部に、間隔を置いて複数本の割竹片を差し渡し、該割竹片を、前記縁部に固定し、前記骨材と前記割竹片とで形成する空間部に、粉砕した竹炭又は木炭を収納した通気性を備えた不織布袋を収納したことを特徴とするものである。
【考案の効果】
【０００５】
この考案は上述のように構成されているので、次のような効果を呈する。
（１）構造が簡単であるので、安価に量産ができる。
（２）粉砕した竹炭又は木炭を収納しているので、脱臭、調湿効果があり、人体へ心地よさをもたらす。
（３）割竹片は弾性を備えているので、首部に対する指圧効果が期待できる。
【考案を実施するための最良の形態】
【０００６】
構造が簡単であり、かつ人体に対する快適性を備えた竹枕の提供という目的を、複数本の割竹片で枕の形状を構成し、枕の空間部に、通気性を備えた不織布袋に粉砕された竹炭又は木炭を収納し、装着することにより実現できた。
【実施例】
【０００７】
この考案の実施の形態の一例を図面を参照しながら説明するに、図１に示すように、板状の二枚の骨材１，１を間隔を置いて配設している。
【０００８】
骨材１，１の形状が枕の輪郭を形成させる。本例では、矩形状の骨材１，１の形状について、説明しているが、この形状に限定されるものではなく、形状は任意に選択することができる。
【０００９】
骨材１，１の縁部２，２に、図１〜図２に示すように、間隔を置いて複数本の割竹片３，３，３，・・・を差し渡し、割竹片３，３，３，・・・を、縁部２，２に、釘又は接着剤などで固定している。
【００１０】
図４に示すように、粉砕した竹炭又は木炭ａを収納した通気性を備えた不織布袋４を、骨材１，１と割竹片３，３，３，・・・とで形成する空間部Ａに装着している。
【００１１】
通常、不織布袋４の空間部Ａへの装着は、７〜８割程度の本数の割竹片３，３，３，・・・を骨材１，１に固定した状態のときできる隙間から装着し、その後残りの割竹片３，３，３，・・・を固定して仕上げる。
【００１２】
また、いずれか一方の骨材１に、不織布袋４を挿入する穴を設けておいてもよい。割竹片３，３，３，・・・を釘で固定する場合には、釘の頂部が見えるので、見栄えがわるくなるため、目隠しとして、竹皮又は藤皮で編んだわっぱ５，５をはめ込むことが好ましい。
【００１３】
骨材１，１の側面に露出している割竹片３，３，３，・・・の断面を隠蔽するために、図４に示すように、骨材１，１の側面に化粧板６，６を張り付けている。
【００１４】
実施に際しては、図４に示すように、布などからなる枕カバ−７を装着して使用するのが好ましい。
【産業上の利用可能性】
【００１５】
この考案は上述のように構成されており、脱臭、調湿効果及び指圧効果があるので、湿気の多い夏期等における仮眠用の枕としての用途が可能である。
【図面の簡単な説明】
【００１６】
【図１】製作過程を示す概略斜視図
【図２】竹炭又は木炭を装着した状態を示す概略斜視図
【図３】竹炭又は木炭を収納した不織布袋の一部切欠概略斜視図
【図４】使用状態の一例を示す概略斜視図
【符号の説明】
【００１７】
１ 骨材
２ 縁部
３ 割竹片
４ 粉砕した竹炭又は木炭を収納した通気性を備えた不織布袋
５ 竹皮又は藤皮で編んだわっぱ
６ 化粧板
７ 枕カバ−
ａ 竹炭又は木炭
【図１】
0003103812.tif 000003
【図２】
0003103812.tif 000004
【図３】
0003103812.tif 000005
【図４】
0003103812.tif 000006
(57)【要約】      （修正有）【課題】歯石や歯垢を簡単に、効率よく除去でき、また、弾力性があり歯肉や歯に当たる感触をやわらかくした研磨剤付き爪楊枝を提供する。【解決手段】爪楊枝の本体の先端部に、ぎざぎざな凹凸面を作り、研磨剤いりの繊維、不織布や糸をこのぎざぎざの部位に絡ませ、研磨剤を含んだ布をキャップなどで固定したり、あるいは溶着をして留める。【選択図】図２
0003103881.tif 000002
【実用新案登録請求の範囲】
【請求項１】
爪楊枝の加工したプラスチックの一部に接合面にぎざぎざの凹凸面を設け、その上に研摩性のある糸あるいは繊維を絡ませて弾力性を持たせ、溶着あるいはその一部をキャップなどで固定した爪楊枝
【請求項２】
プラスチックの歯石取り具の先端部に、ぎざぎざの凹凸面を設け、その上に研摩性のある糸あるいは繊維、不織布を溶着あるいは固定した歯石取り具
【考案の詳細な説明】
【技術分野】
【０００１】爪楊枝
【背景技術】
【０００２】以前本人の出願（平成４年公開公報第３５４１２号）の技術では、平坦な部位に研磨剤を接着させたもので、弾力性がなく、耐久性もなく、余り実用性がなかった。
【考案の開示】
【考案が解決しようとする課題】
【０００３】平坦な面位置の上に、研磨剤を接着させた方式では、弾力性がなく、すぐに外れてしまう。また弾力性がないため、歯肉に当たると痛いと言う問題点を含んでいた。【０００４】爪楊枝の先端部分にぎざぎざした凹凸面を設け、この部分に研摩性のある繊維、不織布や糸を絡ませ、その一部をキャップなどで固定あるいは溶着させる。
【考案の効果】
【０００５】この考案によって、しっかりと研磨剤の付いた爪楊枝で歯石や歯垢を簡単に、効率よく除去出るようになった。また、表面積も数倍になり、効率が数倍に上がり、かつ、弾力性があるので、歯肉や歯の当たりが和らいだ。
【考案を実施するための最良の形態】
【０００６】［図１］のように、楊枝の先端にぎざぎざの凹凸をプラスチックに設け、［図２］のように、そのぎざぎざ面に、研摩性のある繊維、不織布や糸を巻きつけたり、絡ませたりした上で、キャップなどで固定するか、研摩性のある繊維、不織布や糸を溶着する。同様に歯石取り具の先端に研磨剤を含んだ繊維、不織布や糸を固定あるいは、溶着する。
【実施例】
【０００７】（図１）は研磨剤を絡ませるためのぎざぎざの凹凸面を施した爪楊枝の拡大図である。
（図２）は研磨剤含んだ不織布を絡ませた後で溶着した完成品の実施例。
（図３）は研磨剤を溶着した歯石取り具の実施例。
（図４）はキャップで固定した研磨剤つき爪楊枝
（図５）はキャップで固定した研磨剤つき歯石取り具
【産業上の利用可能性】
【０００８】素材はナイロンかポリエステルなどの繊維に研磨剤を含侵させた繊維、不織布あるいは糸をプラスチックの爪楊枝に絡ませて、キャップで固定したり、溶着させたりすることができる。さらに密着度増すために、プラスチックの表面にぎざぎざに加工することによって、より強い強度と実効性を上げることが出来る。
【図面の簡単な説明】
【０００９】
【図１】    爪楊枝の研磨剤を付加する前の正面図
【図２】    爪楊枝に研磨剤を付加した後の正面図
【図３】    歯石取り具の研磨剤付加後正面図
【図４】    キャップで固定した研磨剤つき歯石取り具の正面図
【図５】    キャップで固定した研磨剤つき爪楊枝の正面図
【符号の説明】
【００１０】１        ぎざぎざ加工
２        研磨剤
３        研磨剤
【図１】
0003103881.tif 000003
【図２】
0003103881.tif 000004
【図３】
0003103881.tif 000005
【図４】
0003103881.tif 000006
【図５】
0003103881.tif 000007
(57)【要約】【課題】  特別な技術を必要とせず、鉄道用枕木の床板取付け用螺釘の穿孔センターを、誰でも簡単に１００％正確に位置出しできる工具を提供する。【解決手段】  橋の上等で、床板を枕木に固定する螺釘を打つ孔を枕木に穿つもので、円筒状の本体の中央に孔を設け、辺部に数個のマグネットを円形になるように設ける。円筒状の本体の下に小さな円筒状の部分を設け、これは予め設けた床板の孔に嵌る。これにより、本体の中央の孔にドリルが床板の孔を通って下の枕木に当てられる。その孔にドリルを当てることにより誰でも垂直に枕木にドリル孔を穿つことができる。マグネットは鉄である床板に接着し、本体の危険な落下を防ぐ。【選択図】  図１
0003103868.tif 000002
【実用新案登録請求の範囲】
【請求項１】
中央に孔を設けた平たい円筒状の本体の辺部に、数個のマグネットを設け、本体の円筒体の下に小さな円筒体を設け、その小さな円筒体にも中央に穴があいており、その小さな円筒体は枕木の上の床板に嵌り、枕木にそれらの孔を介して、ドリルを当てることができる、ドリルガイドであるセンター出し工具。
【考案の詳細な説明】
【技術分野】
【０００１】
本考案は、鉄道用特に橋の上で枕木に正確簡単に床板取付け用センター出しをする工具に関する。
【背景技術】
【０００２】
枕木上に予め孔のあいた床板があり、その孔にのせて、ドリルを通す時に用いる治具で、従来のセンター出しの方法だと、孔をあける枕木に、目算で床板の孔の中心に合わせてポンチでマークを付け、そのマークを狙ってドリルを立て込んでいたが、床板の厚みが２ｃｍ有りマークに確実に一致させるのが困難で偏芯するため、螺釘を打ちこむときに床板の孔と螺釘が合わず垂直に打込めなかった。又、作業に時間が多くかかる。釘が斜めになると正確な枕木と床板の固定はできない。
【特許文献１】特記すべき先行文献なし。
【非特許文献１】各社のパンフレット等があるが、本考案の様なものはない。
【考案の開示】
【考案が解決しようとする課題】
【０００３】
本考案は、短時間で、正確に床板取付け用センター出しをする工具を提供する。
【課題を解決するための手段】
【０００４】
本考案は、中央に孔を設けた平たい円筒状の本体の辺部に、数個のマグネットを設け、本体の円筒体の下に小さな円筒体を設け、その小さな円筒体にも中央に孔があいており、その小さな円筒体は枕木の上の床板の孔に嵌り、枕木にそれらの孔を介して、ドリルを当てることができる、ドリルガイドであるセンター出し工具に関する。
【考案の効果】
【０００５】
本工具により、鉄道用枕木に簡単に床板取付け用センター出しが出来るようになりすぐに準備出来る。
【０００６】
また、本工具ドリルガイドは計測の必要が無いので、技術を要せず、直ちにドリルを立てて穿孔作業に移れるということと、ドリルを正確にガイドするので、種々の優れた効果を発する。
【考案を実施するための最良の形態】
【０００７】
円筒体１の辺部に、円筒状に数個のマグネット２を埋め込む。円筒体の高さは小さく、平たく、下に又、小さな円筒体３を設け、これは先が嵌めやすいようにテーパー部４を持っている。小さな円筒体３を床板５の孔６に嵌める。これにより、本工具と床板は、嵌り合う。この本工具の中央の孔７にドリルを通し、枕木８に孔をあける。この孔に螺釘を通すと、床板５と枕木８はしっかり固定される。床板５は鉄製であり、マグネット２により固定され、橋の上からの危険性のある落下を防ぐ。又、治具には半円筒状の取っ手９をつけて、取り扱いやすいようにする。
【産業上の利用可能性】
【０００８】
誰でも正確に枕木にドリルを当てられ、便利であり広く利用される可能性がある。
【図面の簡単な説明】
【０００９】
【図１】平面図である。
【図２】断面図である。
【図３】側面図である。
【図４】断面図である。
【符号の説明】
【００１０】
１  円筒体
２  マグネット
３  小さな円筒体
４  テーパー部
５  床板
６  孔
７  中央の孔
８  枕木
９  取っ手
【図１】
0003103868.tif 000003
【図２】
0003103868.tif 000004
【図３】
0003103868.tif 000005
【図４】
0003103868.tif 000006
(57)【要約】【課題】  鉄道用枕木に螺釘を揉み込むときに使用するナットランナー反力アームを提供する。従来、螺釘締結作業の際ボルト緊解器を使用していたが機械構造上ハンマーで叩く打撃音で、付近住民から騒音苦情が多く。業界では低騒音のナットランナーを使用しているが、それでも不都合が多く、このナットランナーにアームをつけることにより不都合を解決する。【解決手段】  レンチの頭の入るギアである孔があり、一部で二股にわかれた主部があり、主部にアームを軸により、枢着する。アーム先端には扇型脱落防止板を設け、これは傍にあるレールの上にのせる。扇型脱落防止板は面でレールに接するので、反力を吸収し、不動である。アームの角度は、軸により変り、反力発生部が下がっても対応できる。【選択図】  図１
0003103869.tif 000002
【実用新案登録請求の範囲】
【請求項１】
中央に凸凹を刻んだ孔があり、先で二股に分かれた主部に端部がその二股に入ったアームが軸により連結され、そのアームの先端に扇型脱落防止板を装着した、鉄道用枕木に螺釘を揉み込むとき使用するナットランナーの反力アーム。
【考案の詳細な説明】
【技術分野】
【０００１】
本考案は、鉄道用枕木に螺釘を揉み込むとき使用するナットランナーの反力アームに関する。
【背景技術】
【０００２】
従来の方法だと、鉄道用枕木に螺釘を揉み込むときボルト緊解器を使用していたが、ハンマーでたたくので機械的な打撃音が甚だしくて近隣からの騒音苦情が多発して、使用が出来にくくなってきた。このため騒音の少ないナットランナーを使用するのが最良となったが、市販品のナットランナーの反力アームは鉄道用枕木に螺釘を揉み込むときに不適当であった、安全に螺釘を締結するときの反力アームに関する。
【特許文献１】特記すべき先行文献なし。
【非特許文献１】各社のパンフレット等があるが、本考案の様なものはない。
【考案の開示】
【考案が解決しようとする課題】
【０００３】
本考案は、鉄道用枕木に螺釘を締結するとき、安全に機械本体を保持するための反力アームを提供する。
【課題を解決するための手段】
【０００４】
本考案は、中央に凸凹を刻んだ孔があり、先で二股に分かれた主部に端部がその二股に入ったアームが軸により連結され、そのアームの先端に扇型脱落防止板を装着した、鉄道用枕木に螺釘を揉み込むとき使用するナットランナーの反力アームに関する。
【考案の効果】
【０００５】
本工具により、鉄道用枕木に螺釘の締結が低騒音で作業が出来るようになり、緊解器使用の騒音が８９ｄｂ以上であったものがナットランナーの使用により６５ｄｂ以下となる。
【０００６】
また、本工具により、ナットランナー本体が螺釘を締結するとき作業者が振り回されることが無く安全に保持する作業が出来、労働安全上優れた効果を発する。
【考案を実施するための最良の形態】
【０００７】
図中１中央にレンチの頭の入るギアである凸凹を刻んだ孔１があり、一部で二股に分かれた主部２がある。主部２の二股は間にアーム３の端部が入り、この２つの部材は軸４により連結されている。アーム３は伸び、その先端に扇型脱落防止板５を取り付ける。
【０００８】
アーム３は軸４を介し、角度が変わる。橋の上等で危険な本器の落下を防止する扇型脱落防止板はそばにあるレールの上にのせて、面で接触するため、且つ本器の反力を吸収し、不動である。
【０００９】
アームの角度が軸により変わるので、ナットランナーの反力発生部が作業中段々下へ下がっても反力は適切にレールの上で吸収される。
【００１０】
ナットランナー反力アームは、反力をレールに置くためのアーム先端の面接触である扇型脱落防止板により反力アーム部分がレール頭部よりの落下を防止する。
【００１１】
市販のナットランナーの反力アーム取付け部を、本工具ナットランナー反力アーム受承部に挿入使用するだけで、低騒音で螺釘を締結することが出来る。
【産業上の利用可能性】
【００１２】
ナットランナー反力アームの使用により、螺釘締結の際、作業者が機械の回転による反力によって振り回されることが皆無になり労働安全上優れた効果を発する。
【図面の簡単な説明】
【００１３】
【図１】斜視図である
【図２】平面図である。
【図３】側面図である。
【図４】脱落防止板の平面図である。
【符号の説明】
【００１４】
１  孔
２  主部
３  アーム
４  軸
５  扇型脱落防止板
【図１】
0003103869.tif 000003
【図２】
0003103869.tif 000004
【図３】
0003103869.tif 000005
【図４】
0003103869.tif 000006
(57)【要約】      （修正有）【課題】雪国で施工する無散水の消雪装置であって、地下水のない場所でも十分使用できる消雪装置を提供する。【解決手段】井戸２を掘り、地下水が出る必要がなく、井戸の中に雨水等Ｗを溜め、地中の温度を利用し、循環パイプ１を埋設して井戸の中にある溜り水を循環させて消雪を図り、また電熱ヒーター４と大気温度センサー５を併用して、気温が下ったときにのみ電熱ヒーター４を使用するため省エネルギーとなって経済的に有利な無散水の消雪装置である。【選択図】図１
0003103827.tif 000002
【実用新案登録請求の範囲】
【請求項１】
地面に平面状に埋設する循環パイプ（１）と、井戸（２）中の溜り水Ｗの組合せよりなり、該循環パイプ（１）をポンプ（３）を介して井戸（２）の水中Ｗに接続し、井戸水中に電熱ヒーター（４）を設けることを特徴とした無散水消雪装置。
【請求項２】
電熱ヒーター（４）を複数本設け、気温センサー（５）を設けて電熱ヒーターの温度制御を行うことを特徴とした請求項１に記載の無散水消雪装置。
【考案の詳細な説明】
【技術分野】
【０００１】  本考案は、雪国での路面又は駐車場等の場所に敷設する地下水を使用しない無散水消雪装置に関する。
【背景技術】
【０００２】  雪国における消雪については種々考案がされていて、一般に路面や駐車場の消雪には地下水を路面上に散水して消雪する散水方式と、電熱シートや電熱マット等を埋設して消雪する方式、さらには温水パイプを路面下に埋設する無散水方式などが知られている。
【特許文献１】  特開平１０−２８０３１０号公報
【考案の開示】
【考案が解決しようとする課題】
【０００３】  このうち散水方式の消雪は、地下水を路面や駐車場に敷設した穴明きの配管から散水流出させて消雪するもので、積雪が多い時や、気温が低下した場合などでは不可能となる。【０００４】  また無散水方式の消雪は、電熱シートや電熱マットを敷設する場合では、消費電力が大きくなって、極く狭い面積の場所にのみ採用ができず、また温水の循環パイプを埋設する方式のものは大型のボイラー等が必要となって大掛りな工事となり個人の住宅では経費が嵩むことで採用しにくい欠点を有している。
【課題を解決するための手段】
【０００５】  考案者はこの点に鑑み鋭意研究を重ねた結果本考案に到達したものであって、無散水消雪のうちの、井戸水を利用することなく、井戸の中に溜めた水、及び電熱を利用することを併用して、しかも循環パイプを埋設するものでありながら、前述の大掛りな工事を省き、費用の軽減を計りながら消雪の目的を十分達することのできる無散水消雪装置を提供するものである。【０００６】  即ち、本考案は循環パイプと井戸と電熱ヒーターを用いて消雪を行うもので、冬期気温のあまり下らない時期では、井戸の中の溜水の水温が１３℃〜１４℃あるため、そのまま井戸内の水を循環パイプに流して消雪を行い、気温が−５℃位に下り、積雪、降雪がある時には、電熱ヒーターを弱めにして井戸水を温めて循環パイプに流し、さらに気温が−１０℃以下に下ったときには電熱ヒーターを強めにして井戸内の水の水温を上げて循環パイプに流して消雪を呈すものである。このように、本考案は井戸水（地下水）を利用することなく、雨水等の溜り水を利用するもので、地下水脈のない所でも施工することが可能である。【０００７】  この気温の感知と電熱ヒーターの加減は気温センサー（５）によって制御する。図中のＰは揚水ポンプを示している。なお、この気温感知センサー（５）は降雪を感知する機能も有していて、降雪が有る場合には気温を感知しながら電熱ヒーター（４）の強・中・弱を制御する。
【考案の効果】
【０００８】  本考案の無散水消雪装置は、このような循環パイプに流す水の温度を大気の温度に応じて加減するため消費電力が経済的であり、さらには地下水を利用することにより、さらに効果的にエネルギーの省略が計られる。【０００９】  このため雪国での駐車場や家の玄関先などの比較的広い地面での消雪に特に効果があり、従来の各種方式の消雪装置に比較して工事の点、経済的な点において卓越した作用効果を奏する。
【考案を実施するための最良の形態】
【００１０】  上述のように、本考案は、施工する時面下に平面的に埋設する循環パイプと井戸と電熱ヒーターとを組合せて構成されるもので、天候に応じて電熱ヒーターを制御することによって工事費とエネルギーの節減が計れる。
【実施例】
【００１１】  添付図面により本考案の実施例を説明すると、図１は本考案の無散水消雪装置の構成を表わす説明図であって、図中の（１）は施工する地面下に埋設する循環パイプであって、ポリビニール製のフレキシブルの管体で、平面状に渦巻き状に埋設する。【００１２】  符号（２）は井戸を示し、図にあっては作図上素堀となっているが、当然埋設してある。そしてこの井戸（２）の中に水Ｗを入れこの水中に循環パイプ（１）の両端を水中に配し、循環パイプ（１）の流入用の一端に揚水ポンプＰを設けることによって、井戸の水は矢印のようにパイプ（１）中に導入されて井戸内に戻るように循環される。なお当然のことながら循環パイプ（１）の配管後は上面にコンクリートを敷設する。【００１３】  （４）は電熱ヒーターであって、２〜３本井戸（２）の中に挿入配置しておき、気温センサー（５）に連動制御されている。したがって例えば大気温度が０℃位のときは、３本の電熱ヒーター（４）のうちの１本に加電して井戸中の水の水温を上げて使用し、−５℃位のときは２本の電熱ヒーターを作動させて水温を上げる。また大気温が−１０℃以下に下がったときは３本の電熱ヒーター（４）を使って水温を上げることによって循環パイプ（１）内には３０℃位の温水が還流して十分消雪が可能となる。図中の（６）は補水タンクである。【００１４】  このように気温センサー（５）は大気温と降雪を感知して作動制御するものであるから、冬期においても気温が０℃以上のプラス気温の場合には、電熱ヒーター（４）を用いることなく井戸中の水のみの還流で消雪ができ、このため電力消費量は零である。
【産業上の利用可能性】
【００１５】  前述のように本考案の無散水消雪装置は、電力の消費量を最小限にして消雪が可能でしかも、工事が簡易化されるため、雪国で広く応用でき、この利用可能性は大きい。
【図面の簡単な説明】
【００１６】
【図１】  本考案装置の説明図
【符号の説明】
【００１７】        （１）…循環パイプ
（２）…井戸
（３）…揚水ポンプ
（４）…電熱ヒーター
（５）…気温感知センサー
（６）…補水
Ｗ…井戸中に溜めた水
【図１】
0003103827.tif 000003